(57)【要約】【課題】保護シートの取り外し時に感光体表面に傷や付着物が付きにくく、また、保護シートの形状に特段の工夫が必要なく、また接着力を特別に管理する必要もないため、サイズや保管条件によらず、感光体を十分に保護することができる感光体の梱包方法や、そのように梱包された円筒状電子写真用感光体を提供する。【解決手段】円筒状電子写真用感光体１の外表面には、保護シート２が巻き付けられた状態で固定される。保護シート２の巻端部２ａと巻止部２ｂは、中央が非粘着部３ｃとなっており両端が粘着部３ａ、３ｂとなっている粘着テープ３により粘着固定されている。粘着テープ３の非粘着部３ｃは、巻端部２ａと巻止部２ｂの粘着固定を解除するための固定解除手段３ｄを備えている。【選択図】図８
2017161742.tif 000002
【特許請求の範囲】
【請求項１】
外表面に感光層を保護するための保護シートが巻き付けられた状態で固定されている円筒状電子写真用感光体であって、該保護シートの周沿辺は、該円筒状電子写真用感光体の外周長よりも長くなっており、該保護シートの巻端部と巻止部は、中央が非粘着部となっており両端が粘着部となっている粘着テープにより粘着固定されており、該粘着テープの両端の２つの粘着部のうち一方は巻端部側に、他方は巻止部側に粘着されており、該非粘着部は、該粘着テープを分断し該巻端部と該巻止部の粘着固定を解除するための固定解除手段を備えることを特徴とする円筒状電子写真用感光体。
【請求項２】
外表面に感光層を保護するための保護シートが巻き付けられた状態で固定されており、更に、該保護シートの外側に、気泡緩衝材シートが巻き付けられた状態で固定されている円筒状電子写真用感光体であって、該気泡緩衝材シートの巻端部と巻止部は、中央が非粘着部となっており両端が粘着部となっている粘着テープにより粘着固定されており、該粘着テープの両端の２つの粘着部のうち一方は巻端部側に、他方は巻止部側に粘着されており、該非粘着部は、該粘着テープを分断し該巻端部と該巻止部の粘着固定を解除するための固定解除手段を備えることを特徴とする円筒状電子写真用感光体。
【請求項３】
上記固定解除手段が、ミシン目である請求項１又は請求項２に記載の円筒状電子写真用感光体。
【請求項４】
上記非粘着部が、上記粘着テープを分断し上記巻端部と上記巻止部の粘着固定を解除する際に作業者が把持するための把持部を備える請求項１ないし請求項３の何れかの請求項に記載の円筒状電子写真用感光体。
【請求項５】
円筒状電子写真用感光体の感光層を保護するために保護シートを該円筒状電子写真用感光体の外表面に巻き付け、該保護シートの巻端部と巻止部を粘着テープにより粘着固定する円筒状電子写真用感光体の梱包方法であって、該保護シートの周沿辺は、該円筒状電子写真用感光体の外周長よりも長くなっており、該粘着テープは、中央が非粘着部となっており、両端が粘着部となっており、該非粘着部に、該粘着テープを分断し該巻端部と該巻止部の粘着固定を解除するための固定解除手段を備えているものであり、該粘着テープの２つの粘着部のうち一方を巻端部側に、他方を巻止部側に粘着させることを特徴とする円筒状電子写真用感光体の梱包方法。
【請求項６】
円筒状電子写真用感光体の感光層を保護するために保護シートを該円筒状電子写真用感光体の外表面に巻き付けて固定し、更に、該保護シートの外側に気泡緩衝材シートを巻き付けて該気泡緩衝材シートの巻端部と巻止部を粘着テープにより粘着固定する円筒状電子写真用感光体の梱包方法であって、該粘着テープは、中央が非粘着部となっており、両端が粘着部となっており、該非粘着部に、該粘着テープを分断し該巻端部と該巻止部の粘着固定を解除するための固定解除手段を備えているものであり、該粘着テープの２つの粘着部のうち一方を巻端部側に、他方を巻止部側に粘着させることを特徴とする円筒状電子写真用感光体の梱包方法。
【請求項７】
上記固定解除手段がミシン目であり、上記非粘着部が、上記粘着テープを分断し上記巻端部と上記巻止部の粘着固定を解除する際に作業者が把持するための把持部を備える請求項５又は請求項６に記載の円筒状電子写真用感光体の梱包方法。
【請求項８】
請求項７に記載の梱包方法によって梱包された電子写真感光体の開梱方法であって、上記把持部を把持し、上記ミシン目に沿って該把持部を引っ張ることにより、上記巻端部と上記巻止部の粘着固定を解除することを特徴とする円筒状電子写真用感光体の開梱方法。
【発明の詳細な説明】
【技術分野】
【０００１】
本発明は、円筒状電子写真用感光体及び円筒状電子写真用感光体の梱包方法に関する。
【背景技術】
【０００２】
電子写真技術は、即時性、高品質の画像が得られること等から、複写機、プリンター、ファクシミリ等の分野で広く使われ応用されている。
【０００３】
電子写真技術で使用される電子写真用感光体（以下、本明細書において単に「感光体」という場合がある。）は、円筒状基体の表面に有機系等の光導電材料の感光層を形成されるのが最もよく用いられる形態である。この感光層は電子写真プロセスにおいて光学像を静電潜像に変換するなどの重要な役割を持っているので、感光層の外表面を機械的な損傷、強光による劣化、汚染物質の付着等から保護するために、保護シートで被覆する梱包方法が一般に採用されている。
【０００４】
感光層の外表面を機械的な損傷や強光による劣化等から保護するために、遮光性のある保護シートを感光層の外表面に巻き付けることが一般的である。この保護シートは感光体がカートリッジに組み込まれる際には取り外されることから、着脱が容易となるように、シール或いはテープ等の粘着性物質を有する部材で固定することが一般的に行われている。
【０００５】
ところが、この保護シートを取り外す際に、粘着テープを剥がすために無理な力を加えることにより感光体を傷つけてしまう、剥がした粘着テープを感光体表面に付着させてしまう、といった問題が発生する場合がある。
感光体表面のわずかな傷や付着物であっても、画像不良の原因となるため、梱包時の保護シートの取り付け（巻き付け）や、開梱時の保護シートの取り外しの作業は、感光体に傷や付着物をつけないよう、細心の注意を払う必要がある。
保護シートの取り外しの際に起こる上記のような問題を防止するため、保護シートや粘着テープに関して、様々な提案がされている。
【０００６】
特許文献１には、一側端部に凸部を設け、該凸部を指でつまむことにより、感光体から除去することのできる保護シートが開示されている。また、特許文献２〜４には、予め切り裂き用加工を施し、保護シートの一部を切り裂くことにより除去することのできる保護シートが開示されている。
しかし、このような、保護シート自体を加工する方法では、予め切断し加工した枚葉の保護シートを準備する必要があり、感光体のサイズごとに複数種類の保護シートを準備する必要があった。
【０００７】
粘着テープを工夫することにより、上記のような問題を防止する方法として、特許文献５〜６には、粘着剤の粘着力を規定した保護シートが開示されている。
しかし、粘着力を規定する方法では、様々な保管条件（温度、湿度等）のもとで、粘着力の経時的な変化を考慮する必要があり粘着力の管理が難しいという問題があった。
【０００８】
また、特許文献７には、一端に粘着剤のない剥離部を備えた粘着テープを使用した感光体の梱包方法が開示されている。特許文献７の方法では、感光体を固定した状態において、剥離部が周囲に引っかかる等の問題が発生する場合がある。
【０００９】
感光体のサイズや保管条件は、様々ありえるので、かかる公知技術では不十分であり、改善の余地があった。
【先行技術文献】
【特許文献】
【００１０】
【特許文献１】実開平６−５００６２号公報
【特許文献２】特開昭６０−１１４８９３号公報
【特許文献３】特開２００１−２５５７８０号公報
【特許文献４】特開２００８−００９０８１号公報
【特許文献５】特開平１０−１６７３４０号公報
【特許文献６】特開２００２−１６０７８５号公報
【特許文献７】特開平１０−０７２０７５号公報
【発明の概要】
【発明が解決しようとする課題】
【００１１】
本発明は上記背景技術に鑑みてなされたものであり、その課題は、保護シートの取り外し時に感光体表面に傷や付着物が付きにくく、また、保護シートの形状に特段の工夫が必要なく、また粘着力を特別に管理する必要もないため、サイズや保管条件によらず、感光体を十分に保護することができる感光体の梱包方法や、そのように梱包された円筒状電子写真用感光体を提供することにある。
【課題を解決するための手段】
【００１２】
本発明者らは、上記の課題を解決すべく鋭意検討を重ねた結果、両端が粘着部、中央が非粘着部となっており、非粘着部に固定解除手段を備える粘着テープを使用して保護シートを粘着固定すれば、開梱時に、保護シートの取り外しが極めて容易であり、また、粘着部はそのまま保護シート上に残り、感光体に粘着剤が付着しないようにすることができ、その結果、開梱時の取り扱いに起因する感光体表面の傷や付着物による画像不良を防止することができることを見出して、本発明を完成するに至った。
【００１３】
すなわち、本発明は、外表面に感光層を保護するための保護シートが巻き付けられた状態で固定されている円筒状電子写真用感光体であって、該保護シートの周沿辺は、該円筒状電子写真用感光体の外周長よりも長くなっており、該保護シートの巻端部と巻止部は、中央が非粘着部となっており両端が粘着部となっている粘着テープにより粘着固定されており、該粘着テープの両端の２つの粘着部のうち一方は巻端部側に、他方は巻止部側に粘着されており、該非粘着部は、該粘着テープを分断し該巻端部と該巻止部の粘着固定を解除するための固定解除手段を備えることを特徴とする円筒状電子写真用感光体を提供するものである。
【００１４】
また、本発明は、外表面に感光層を保護するための保護シートが巻き付けられた状態で固定されており、更に、該保護シートの外側に、気泡緩衝材シートが巻き付けられた状態で固定されている円筒状電子写真用感光体であって、該気泡緩衝材シートの巻端部と巻止部は、中央が非粘着部となっており両端が粘着部となっている粘着テープにより粘着固定されており、該粘着テープの両端の２つの粘着部のうち一方は巻端部側に、他方は巻止部側に粘着されており、該非粘着部は、該粘着テープを分断し該巻端部と該巻止部の粘着固定を解除するための固定解除手段を備えることを特徴とする円筒状電子写真用感光体を提供するものである。
【００１５】
また、本発明は、円筒状電子写真用感光体の感光層を保護するために保護シートを該円筒状電子写真用感光体の外表面に巻き付け、該保護シートの巻端部と巻止部を粘着テープにより粘着固定する円筒状電子写真用感光体の梱包方法であって、該保護シートの周沿辺は、該円筒状電子写真用感光体の外周長よりも長くなっており、該粘着テープは、中央が非粘着部となっており、両端が粘着部となっており、該非粘着部に、該粘着テープを分断し該巻端部と該巻止部の粘着固定を解除するための固定解除手段を備えているものであり、該粘着テープの２つの粘着部のうち一方を巻端部側に、他方を巻止部側に粘着させることを特徴とする円筒状電子写真用感光体の梱包方法を提供するものである。
【００１６】
また、本発明は、円筒状電子写真用感光体の感光層を保護するために保護シートを該円筒状電子写真用感光体の外表面に巻き付けて固定し、更に、該保護シートの外側に気泡緩衝材シートを巻き付けて該気泡緩衝材シートの巻端部と巻止部を粘着テープにより粘着固定する円筒状電子写真用感光体の梱包方法であって、該粘着テープは、中央が非粘着部となっており、両端が粘着部となっており、該非粘着部に、該粘着テープを分断し該巻端部と該巻止部の粘着固定を解除するための固定解除手段を備えているものであり、該粘着テープの２つの粘着部のうち一方を巻端部側に、他方を巻止部側に粘着させることを特徴とする円筒状電子写真用感光体の梱包方法を提供するものである。
【００１７】
また、本発明は、上記固定解除手段がミシン目であり、上記非粘着部が、上記粘着テープを分断し、上記巻端部と上記巻止部の粘着固定を解除する際に作業者が把持するための把持部を備える上記の円筒状電子写真用感光体の梱包方法を提供するものである。
【００１８】
また、本発明は、上記の梱包方法によって梱包された電子写真感光体の開梱方法であって、上記把持部を把持し、上記ミシン目に沿って該把持部を引っ張ることにより、上記巻端部と上記巻止部の粘着固定を解除することを特徴とする円筒状電子写真用感光体の開梱方法を提供するものである。
【発明の効果】
【００１９】
本発明によれば、感光体の保護シートの開梱時に、保護シートの取り外しが極めて容易であり、また、粘着部がそのまま保護シート上に残り、感光体に粘着剤が付着しないため、開梱時の取り扱いに起因する感光体表面に傷や付着物による画像不良を防止することができる。
【００２０】
本発明の梱包方法は、保護シート自体に特別な加工をする必要がなく、保護シートを固定する粘着テープとして、特殊な粘着テープを使用する。このため、本発明の梱包方法は、保護シートの選択の幅が増える。
【００２１】
本発明では、保護シートの巻端部と巻止部を固定していた粘着テープが、開梱時に分断されることで固定が解除される。このため、粘着テープに用いる粘着剤の粘着力を管理する必要はなく、粘着力は固定だけを目的として設計することができる。
また、中央の非粘着部に設けられた固定解除手段の形状等を工夫することにより、例えば、プラスチックフイルムで粘着テープを形成した場合も、容易に開梱作業を行うことができるので、粘着テープの材料選択の幅が広がる。
【００２２】
保護シートにより感光体を保護する際には、保護シートの外側に、気泡緩衝材シートを更に巻き付けて梱包箱に収納することが多い。本発明の粘着テープは、保護シートの場合と同じ要領で、気泡緩衝材シートの取り付け（巻き付け）にも使用することができる。
気泡緩衝材を巻き付けた感光体を梱包箱等に収納する際、特許文献７等に記載の従来の粘着テープでは、剥離部（非粘着部）が入口で引っ掛かってしまうという問題があったが、本発明における粘着テープは、両端が粘着部となっているので、引っ掛かりの問題が起こらない。
【図面の簡単な説明】
【００２３】
【図１】本発明における保護シートの取り付け方法の一例を示す図である。    （ａ）保護シートを感光体に取り付ける（巻き付ける）前の状態を示す斜視図    （ｂ）保護シートを感光体に取り付けた（巻き付けた）状態を示す斜視図    （ｃ）保護シートを感光体に取り付けた（巻き付けた）状態における貼付部の拡大断面図
【図２】本発明における保護シートの一例を示す図である。点線は、保護シートを巻いて感光体に取り付けた場合の巻合部と巻止部の境界を示す。
【図３】本発明における粘着テープの一例を示す斜視図である。網掛け部分は粘着剤が塗布された部分を示す。    （ａ）固定解除手段がミシン目である場合    （ｂ）固定解除手段が切欠部である場合
【図４】本発明における把持部を備える粘着テープの一例を示す図である。網掛け部分は粘着剤が塗布された部分を示す。    （ａ）把持部が１つの場合    （ｂ）把持部が２つの場合
【図５】本発明における印刷部を備える粘着テープの一例を示す図である。
【図６】本発明において、保護シートの外側に、気泡緩衝材シートを取り付けた（巻き付けた）状態を示す斜視図である。
【図７】本発明において２つの粘着テープで保護シートを粘着固定した状態を示す斜視図である。
【図８】本発明における保護シートの取り外し方法の一例を示す図である。点線は、巻合部と巻止部の境界を示す。    （ａ）保護シートを感光体から取り外す際の状態を示す斜視図    （ｂ）保護シートを感光体から取り外した後の状態を示す斜視図
【図９】従来技術における粘着テープの一例を示す斜視図である。網掛け部分は粘着剤を塗布された部分を示す。
【図１０】従来技術における保護シートの取り付け方法を示す図である。    （ａ）保護シートを感光体に取り付けた（巻き付けた）状態を示す斜視図    （ｂ）保護シートを感光体に取り付けた（巻き付けた）状態における貼付部の拡大断面図
【発明を実施するための形態】
【００２４】
以下、本発明について説明するが、本発明は以下の実施の形態に限定されるものではなく、任意に変形して実施することができる。
【００２５】
図１に示すように、本発明の円筒状電子写真用感光体１は、外表面に感光層を保護するための保護シート２が巻き付けられた状態で固定されている。
【００２６】
＜円筒状電子写真感光体＞
円筒状電子写真感光体１については、特に制限はなく、円筒状の導電性支持体上に、感光層を公知の方法で塗布した公知の感光体が使用される。感光層が電荷発生層と電荷輸送層から構成される積層型感光体でも、単一の感光層からなる単層型感光体でもよい。
また、大きさ（外径、軸方向の長さ）についても特に制限はない。
【００２７】
＜保護シート＞
保護シート２は、図２に示すように、略矩形状であり、感光体１に巻き付けて感光体１を衝撃から保護し、強光による感光体の劣化を防止するためのものである。
保護シート２としては、遮光機能を持つ黒色の上質紙が多用される。また、遮光機能を持つ黒色の合成樹脂フィルムや、上質紙を合成樹脂でコートしたフィルムが用いられることもある。保護シート２には導電性物質を添加し静電気防止機能を付与することが多い。
【００２８】
保護シート２の周沿辺２Ｌの長さは、円筒状電子写真用感光体１の外周長（外径×円周率）よりも長くなっている。
このため、保護シート２を感光体１に巻き付けると、保護シート２が感光体１を１周以上し、保護シート２が重なり合う部分ができる。この重なり合う部分を、粘着テープ３により粘着することにより、保護シート２を固定する。
【００２９】
保護シート２の周沿辺２Ｌの長さは、円筒状電子写真用感光体１の外周長に対して、１．０５倍以上であることが好ましく、１．１倍以上であることがより好ましい。また、１．５倍以下であることが好ましく、１．３倍以下であることがより好ましい。
上記下限以上であると、粘着テープ３を貼るのに十分なスペースが確保できる。また、上記上限以下であると、保護シート２の使用量を抑えることができ（上記上限を超えて保護シート２の周沿辺２Ｌを長くしても材料費が無駄になるだけである）、長過ぎないので保護シート２を巻き付けて固定することが容易となる。
すなわち、保護シート２の周沿辺２Ｌの長さは、感光体１の外周長より少し長い程度が好ましい。
【００３０】
保護シート２の幅員辺２Ｗの長さは、感光体１の外表面を満遍無く保護するため、感光体１の軸方向の長さと等しいか、わずかに（１〜３ｍｍ程度）短いことが好ましい。わずかに短い場合、感光体１の端部との正確な位置合わせを簡略化でき、好ましい。
【００３１】
保護シート２において、感光体１に巻き付けて粘着テープ３で固定した際に、外から見える端部付近を「巻端部（２ａ）」という。巻端部２ａと重なり、外から見えない部分を「巻合部（２ｃ）」という。巻合部２ｃに隣接した外から見える部分を「巻止部（２ｂ）」という。
【００３２】
保護シート２の巻端部２ａと巻止部２ｂは、中央が非粘着部となっており両端が粘着部となっている粘着テープ３により粘着固定されている。
【００３３】
＜粘着テープ＞
図３に、本発明で使用される粘着テープ３の一例を示す。粘着テープ３は、中央が非粘着部３ｃとなっており、両端が粘着剤を塗布された粘着部３ａ、３ｂとなっている。
【００３４】
図１（ｂ）に示すように、保護シート２の巻端部２ａと巻止部２ｂは、粘着テープ３の粘着部３ａ、３ｂにより粘着固定される。粘着テープ３の両端の２つの粘着部３ａ、３ｂのうち、一方は巻端部２ａの側に、他方は巻止部２ｂの側に粘着されている。以下、巻端部２ａの側の粘着部を「巻端部側粘着部（３ａ）」、巻止部２ｂの側の粘着部を「巻止部側粘着部（３ｂ）」という場合がある。
【００３５】
非粘着部３ｃは、粘着テープ３を分断し巻端部２ａと巻止部２ｂの粘着固定を解除するための固定解除手段３ｄを備える。固定を解除した後、保護シート２からはみ出した粘着テープ３の一部が感光体１に触れた場合であっても、はみ出した部分は非粘着部３ｃとなるため、感光体１に粘着剤が付着せず、感光体表面の傷や付着物による画像不良を防止することができる。
固定解除手段３ｄは、開梱時に粘着テープ３を容易に分断することができればよく、具体例として、ミシン目（図３（ａ））、切欠部（図３（ｂ））等が挙げられる。
カッター、鋏等の器具を使用することなく粘着テープ３を分断できる（また、そのことが作業者にわかりやすい）ことから、固定解除手段３ｄは、ミシン目であることが好ましい。「ミシン目」は、断続的に開けられた面積のある小穴であっても、断続的に設けられた貫通する破線であってもよい。
【００３６】
固定解除手段３ｄがミシン目の場合、１つの粘着テープ３に、ミシン目は１つでもよいが、図３（ａ）等に示すように、２つのミシン目があるのが好ましい。１つの粘着テープ３に２つのミシン目があると、粘着テープ３の分断がしやすい。
【００３７】
粘着テープ３は、基材に粘着剤を塗布したものである。粘着テープ３の基材の材質について特に限定はなく、紙、布、フィルム、金属箔等が使用できる。粘着剤の材質についても特に限定はなく、アクリル系粘着剤、ゴム系粘着剤等が使用できる。
【００３８】
本発明では、非粘着部３ｃに設けられた固定解除手段３ｄによって、保護シート２の巻端部２ａと巻止部２ｂの粘着固定を解除する。このため、保護シートにいったん貼着された粘着テープ３を開梱時に剥がす必要はないので、従来発明のように、粘着テープ３の粘着力を規定する必要はない。輸送時の振動等で粘着テープが剥がれない程度の粘着力が確保できていればよく、強力に粘着されていても問題は無い。
【００３９】
粘着テープ３の形状は、矩形状（図３（ａ））、楕円形状等が挙げられる。また、図４〜５に示すように、矩形状を基礎としつつ、非粘着部３ｃは、突き出た部分（把持部）３ｅを備えていてもよい。また、粘着テープ３は、図３〜５に示すような横長の形状が好ましい。
把持部３ｅは、粘着テープ３を分断し巻端部２ａと巻止部２ｂの粘着固定を解除する際に作業者が把持するために使用される。把持部３ｅがあることにより、粘着テープ３の分断（粘着固定の解除）が一層容易になる。非粘着部３ｃに、把持部３ｅは１つ設けてもよいし（図４（ａ））、２つ設けてもよい（図４（ｂ））。把持部３ｅは、図４（ａ）（ｂ）に示したように、横長の粘着テープ３の長辺側から略垂直方向に張り出すように設けられることが、粘着テープ３の分断が更に容易になるために好ましい。
【００４０】
粘着テープ３の表面（粘着剤が塗布されていない面）側が、印刷可能となっていると、印字・着色等を施すことができる。例えば、図５に示すように、粘着テープ３の分断方向を示す矢印３ｆを印字することができる。
【００４１】
粘着テープ３の両端の粘着部３ａ、３ｂは、同一の形状であってもよいし、異なる形状であってもよい。また、粘着部３ａ、３ｂにおける粘着剤の塗布量は、均一であってもよいし、不均一であってもよい。
【００４２】
本発明では、感光体１を固定した際に、粘着テープ３の両端部は、粘着剤によって、保護シート２の巻端部２ａと巻止部２ｂに固定される。特許文献７の方法では、一端が剥離部（非粘着部）となった粘着テープを使用しているので、剥離部（非粘着部）が周囲に引っかかる等の問題が発生する可能性があるが、本発明における粘着テープ３は、両端部が粘着部３ａ、３ｂとなっており、保護シート２に固定されているので、かかる問題は発生しない。
【００４３】
粘着テープ３が、図３（ａ）に示すような横長な矩形状である場合、長辺３Ｌの長さは、２０ｍｍ以上であることが好ましく、３０ｍｍ以上であることがより好ましく、４０ｍｍ以上であることが特に好ましい。また、１００ｍｍ以下であることが好ましく、８０ｍｍ以下であることがより好ましく、６０ｍｍ以下であることが特に好ましい。
上記範囲内であると、粘着部３ａ、３ｂを十分に広く設けることができ、輸送・保管中に保護シート２が外れにくくなる。また、上記上限を超えて長辺３Ｌを長くしても、材料費がかさむだけである。
【００４４】
また、短辺３Ｗの長さは、５ｍｍ以上であることが好ましく、７ｍｍ以上であることがより好ましく、９ｍｍ以上であることが特に好ましい。また、２０ｍｍ以下であることが好ましく、１５ｍｍ以下であることがより好ましく、１２ｍｍ以下であることが特に好ましい。
上記範囲内であると、粘着部３ａ、３ｂを十分に広く設けることができ、輸送・保管中に保護シート２が外れにくくなる。また、上記上限を超えて短辺３Ｗを長くしても、材料費がかさむだけである。
【００４５】
非粘着部３ｃの面積を１とした場合、２つの粘着部３ａ、３ｂの面積の和は１以上が好ましく、２以上であることがより好ましい。また、１０以下が好ましく、７以下がより好ましい。
上記下限以上であると、粘着部３ａ、３ｂを十分に広く設けることができ、輸送・保管中に保護シート２が外れにくくなる。上記上限以下であると、非粘着部３ｃを適度な広さに設けることができ、貼着の際に誤って巻端部２ａと巻合部２ｃの境界に粘着剤を付着させてしまうというミスが起こりにくくなる。また、粘着テープ３を分断しやすいような形状にする（ミシン目を２つ設ける、把持部３ｅを設ける等）場合、設計上、非粘着部３ｃの面積は、上記上限以下となる傾向がある。
【００４６】
粘着テープ３の形状を矩形状以外の形状とする場合、粘着テープ３並びにその非粘着部３ｃ及び粘着部３ａ、３ｂの面積やその比率は、上記した矩形状である場合の好ましい範囲と同等になるようにするのが好ましい。
【００４７】
＜気泡緩衝材シート＞
本発明における粘着テープは、保護シートの場合と同じ要領で、気泡緩衝材シートの取り付け（巻き付け）にも使用することができる。
【００４８】
気泡緩衝材シートは、２枚のプラスチックシートからなり、一方のシートを成型した円柱状の突起の中に空気を閉じ込めた緩衝材であり、物品を衝撃から保護する等の目的で使用される。気泡緩衝材シートについて、特に制限は無く、公知の気泡緩衝材シートを適宜使用することができる。
【００４９】
図６に示すように、円筒状電子写真用感光体１は、外表面に感光層を保護するための保護シート２が巻き付けられた状態で固定されている。更に、保護シート２の外側に、気泡緩衝材シート４が巻き付けられた状態で固定されている。
保護シート２を粘着テープ３で粘着固定する場合と同じく、気泡緩衝材シート４の巻端部４ａと巻止部４ｂは、中央が非粘着部３ｃとなっており両端が粘着部３ａ、３ｂとなっている粘着テープ３により粘着固定される。粘着テープ３の両端の２つの粘着部のうち一方は巻端部４ａの側に、他方は巻止部４ｂの側に粘着される。非粘着部３ｃは、粘着テープ３を分断し巻端部４ａと巻止部４ｂの粘着固定を解除するための固定解除手段３ｄを備える。
【００５０】
気泡緩衝材シート４の粘着固定に使用する場合に、粘着テープ３として好ましい材質、形状等は、保護シート２の粘着固定に使用する場合と同様である。
【００５１】
気泡緩衝材シート４は、保護シート２を衝撃から保護するのを目的としたものであるので（付着物による保護シート２の汚れを防止することを目的としたものではないので）、保護シート２を感光体１に巻き付ける場合とは異なり、気泡緩衝材シート４は、図６に示すように、保護シートの周りを１周していなくてもよい（気泡緩衝材シート４が重なり合う部分がなくてもよい）。すなわち、保護シート２の場合の「巻合部２ｃ」に対応する部分は、気泡緩衝材シート４には、存在しなくてもよい。気泡緩衝材シート４の巻き付け方向の端辺同士は、ちょうど１周して突き当っていることも好ましい。
【００５２】
通常、感光体１に保護シート２を巻き付け、更に、保護シート２の外側に、気泡緩衝材シート４が巻き付けられた状態で、感光体１は梱包箱等に収納される。収納の際、特許文献７等に記載の従来の粘着テープでは、剥離部（非粘着部）が端部に存在するため、剥離部が収納箱の入口で引っ掛かってしまうという問題が発生する可能性があったが、本発明における粘着テープ３は、両端が粘着部３ａ、３ｂとなっているので、引っ掛かりの問題が起こらない。
【００５３】
感光体１に保護シート２を巻き付けて粘着固定し、更に、保護シート２の外側に、本発明における粘着テープ３で気泡緩衝材シート４を巻き付けて粘着固定する場合、感光体１への保護シート２の粘着固定には、本発明における粘着テープ３を使用してもよいし、本発明における粘着テープ３とは別の粘着テープを使用してもよい。
【００５４】
［梱包方法］
本発明において、感光体１に保護シート２を巻き付けるのと、保護シート２の外側に気泡緩衝材シート４を巻き付けるのとは、同じ要領で行うことができる。以下、感光体１に保護シート２を巻き付ける場合を例にして説明する。
【００５５】
本発明の梱包方法により、感光体１に保護シート２を取り付ける（巻き付ける）際には、まず、保護シート２を用意し、感光体１の軸方向と保護シート２の幅員辺２Ｗとが平行になるように配置する。次に、感光体１の外表面に沿って保護シート２を巻き付け、巻端部２ａと巻合部２ｃが重なり合うように配設し、弛みが無いように保護シート２に張力をかける。
【００５６】
この状態で、巻端部側非粘着部３ａが巻端部２ａの側に、巻止部側非粘着部３ｂが巻止部２ｂの側に位置するようにして、粘着テープ３の粘着部３ｃを、巻端部２ａと巻止部２ｂの境界付近に貼り付けて粘着固定することにより、保護シート２の取り付け（巻き付け）が完了する。
【００５７】
一連の取り付け（巻き付け）作業は、人の手で行なってもよいし、機械によって行なってもよい。
【００５８】
粘着テープ３が図３（ａ）に示すような横長な矩形状である場合、粘着テープ３の粘着部３ａ、３ｂを貼り付ける際に、粘着テープ３の長辺３Ｌが、保護シート２の周沿辺２Ｌと略平行になるように貼り付けると、振動等で粘着テープが外れたり弛んだりしにくいので好ましいが、粘着テープ３を斜めに貼り付ける等の場合が、本発明の範囲外となるわけではない。粘着テープ３が別の形状の場合も同様に、長手方向が周沿辺２Ｌと略平行になるように貼り付けるのが好ましいが、斜めに貼り付ける等の場合が、本発明の範囲外となるわけではない。
また、粘着テープ３は、非粘着部３ｃが、巻端部２ａの側と巻止部２ｂの側とでほぼ均等になるように貼り付けるのが好ましい。
【００５９】
図７に示すように、保護シート２の巻端部２ａと巻止部２ｂを、２つ（以上）の粘着テープ３で粘着固定してもよい。
【００６０】
［開梱方法］
本発明の梱包方法によって梱包された電子写真感光体の開梱方法において、気泡緩衝材シート４を保護シート２から取り外すのと、保護シート２を感光体１から取り外すのは、同じ要領で行うことができる。以下、保護シート２を感光体１から取り外す場合を例にして説明する。
【００６１】
本発明の梱包方法によって梱包された電子写真感光体の開梱方法では、開梱時に、固定解除手段３ｄにより、粘着テープ３を分断し、巻端部２ａと巻止部２ｂの粘着固定を解除することにより、保護シート２を取り外す。
【００６２】
例えば、図３（ａ）のような粘着テープ（非粘着部が２つのミシン目を有する）の場合、非粘着部３ｃの２つのミシン目３ｄの間の部分を、ミシン目に沿って引き去ることで（図８（ａ））、粘着テープ３が分断され、巻端部２ａと巻止部２ｂの粘着固定が解除され、保護シート２は感光体から取り外される。この際、粘着部３ａ、３ｂは、剥がされることなく、巻端部２ａ、巻止部２ｂの上に残ったままとなる（図８（ｂ））ので、粘着剤が感光体１に付着し、感光体表面の汚染を引き起こすことはない。
【００６３】
粘着テープ３が図４に示すようなものである場合、すなわち、固定解除手段３ｄがミシン目であり、非粘着部３ｃが、粘着テープ３を分断し巻端部２ａと巻止部２ｂの粘着固定を解除する際に作業者が把持するための把持部３ｅを備える場合、把持部３ｅを把持し、ミシン目３ｄに沿って把持部３ｅを引っ張ることにより、巻端部２ａと巻止部２ｂの粘着固定を解除する。
粘着テープ３が把持部３ｅを有する場合、粘着テープ３を分断し、保護シート２の粘着固定を解除する作業がより一層行いやすくなる。
【００６４】
本発明では、開梱の際に、非粘着部３ｃに設けられた固定解除手段３ｄにより、粘着テープ３を分断することで、粘着固定を解除する。このため、粘着固定を解除する際に、無理な力を加えたり、カッター、鋏等の器具を使用したりする必要は無く、開梱の際に、感光体１を傷つけることはない。また、本発明では、粘着部３ａ、３ｂを剥がす必要は全く無く、粘着部３ａ、３ｂは、保護シート２上に残る。
【００６５】
一方、特許文献７に記載の従来の粘着テープ１３は、一端のみが粘着剤のない非粘着部（剥離部）１３ａとなっており、他端側も含めて残りの部分は粘着部１３ｃとなっている（図９）。開梱の際に、非粘着部（剥離部）１３ａを把持して、図１０の矢印の方向に引き上げることで、保護シート２の粘着固定を解除する。
【００６６】
特許文献７の粘着テープ１３では、粘着固定を解除するためには、粘着部１３ｃのうち、少なくとも、巻端部２ａの側に位置している部分を剥がさなければならない。このため、粘着剤は適度な粘着力にしておく必要がある。勢いよく粘着テープ１３を剥がすと、粘着テープ１３は、保護シート２から完全に離れ、結果、保護シート２を外された感光体１に粘着剤付着してしまう可能性がある。
【００６７】
本発明は、粘着テープ３の非粘着部３ｃに固定解除手段３ｄを設けたことにより、開梱の際に、粘着部３ａ、３ｂを剥がさなくても、また、無理な力を加えたり器具を使用したりしなくても、保護シート２の粘着固定を解除することができるようにし、従来の粘着テープの問題点を解決したものである。また、粘着部３ａと３ｂは何れも保護シート２から剥がれないので、感光体１に粘着剤が付着してしまう可能性がない。
【産業上の利用可能性】
【００６８】
本発明の円筒状電子写真用感光体の梱包方法により梱包された円筒状電子写真用感光体は、保護シートの取り外しが極めて容易であり、また、保護シートを取り外す際に感光体表面に傷や付着物が付きにくいため、梱包・輸送等の取り扱いの仕方に起因する性能低下が起こりにくく、複写機、プリンター、ファクシミリ等に広く利用されるものである。
【符号の説明】
【００６９】
１    円筒状電子写真用感光体
２    保護シート
２ａ  巻端部
２ｂ  巻止部
２ｃ  巻合部
２Ｌ  周沿辺
２Ｗ  幅員辺
３    粘着テープ
３ａ  巻端部側粘着部
３ｂ  巻止部側粘着部
３ｃ  非粘着部
３ｄ  固定解除手段
３ｅ  把持部
３ｆ  印刷部（分断方向を示す矢印）
３Ｌ  長辺
３Ｗ  短辺
４    気泡緩衝材シート
４ａ  巻端部
４ｂ  巻止部
１３    粘着テープ（従来品）
１３ａ  非粘着部（剥離部）
１３ｃ  粘着部
【図１】
2017161742.tif 000003
【図２】
2017161742.tif 000004
【図３】
2017161742.tif 000005
【図４】
2017161742.tif 000006
【図５】
2017161742.tif 000007
【図６】
2017161742.tif 000008
【図７】
2017161742.tif 000009
【図８】
2017161742.tif 000010
【図９】
2017161742.tif 000011
【図１０】
2017161742.tif 000012